(57)【要約】  照明評価装置は、任意の光源による照明環境を評価するものであって、光源から発せられた照明光が照射される照射面１２上の任意の検査位置に、当該照射面１２を見る観察者のコントラスト感度を取得するための視標１３を提示する視標提示手段と、視標提示手段により提示された視標１３を観察者が見たときのコントラスト感度値を取得し、当該取得されたコントラスト感度値と、検査位置の位置情報を記録する検査結果記録手段とを有し、光源の照射面１２上の任意の位置の見え方を、コントラスト感度値により評価する。
2013183195.tif 000002
【特許請求の範囲】
【請求項１】
任意の光源による照明環境を評価する照明評価装置であって、
前記光源から発せられた照明光が照射される照射面上の任意の検査位置に、当該照射面を見る観察者のコントラスト感度を取得するための視標を提示する視標提示手段と、
前記視標提示手段により提示された視標を観察者が見たときのコントラスト感度値を取得する記録手段とを有し、
前記照射面上の任意位置の見え方を、前記コントラスト感度値により評価することを特徴とする照明評価装置。
【請求項２】
前記視標提示手段は、前記コントラスト感度を取得するための視標を照射面上の任意の複数の位置に提示し、
前記記録手段は、前記視標提示手段により提示された視標を観察者が見たときのコントラスト感度値を取得し、当該取得されたコントラスト感度値と、前記位置の位置情報を記録すること
を特徴とする請求項１に記載の照明評価装置。
【請求項３】
前記視標提示手段により視標が提示された位置における照度、照明光の波長、照明光の色温度、照明光のチラツキの少なくとも１つを計測する照明光計測手段を備え、
前記記録手段は、前記コントラスト感度値に対応して、前記照明光計測手段により取得された照度値、照明光の波長スペクトル値、照明光の色温度値、照明光のチラツキの周波数値の少なくとも１つを記録することを特徴とする請求項１又は請求項２に記載の照明評価装置。
【請求項４】
前記記録手段による少なくともコントラスト感度値の取得回数を設定する回数設定手段を備え、
前記記録手段は、前記回数設定手段により設定された取得回数に亘り取得された少なくともコントラスト感度値を含む検査結果の平均値を記録することを特徴とする請求項１乃至請求項３の何れか一項に記載の照明評価装置。
【請求項５】
明視環境で検査された観察者のコントラスト感度値を基準値として設定する基準値設定手段を備え、
前記記録手段は、観察者によって取得されたコントラスト感度値と、前記基準値設定手段により設定された前記基準値の差分を算出し、
前記照射面上の任意位置の見え方を、前記差分に相当する明視環境に対するコントラスト感度値の変化により評価することを特徴とする請求項１乃至請求項４の何れか一項に記載の照明評価装置。
【請求項６】
前記記録手段により記録されたコントラスト感度値及び当該コントラスト感度値を取得した位置の照度値を前記光源ごとに記録することを特徴とする請求項１乃至請求項５の何れか一項に記載の照明評価装置。
【請求項７】
観察者の頭部位置を固定する頭部位置固定手段を備え、
前記照射面と頭部位置との距離を固定した状態で前記記録手段によって少なくともコントラスト感度値を検査して記録することを特徴とする請求項１乃至請求項６の何れか一項に記載の照明評価装置。
【請求項８】
任意の光源による照明環境を評価する照明評価方法であって、
任意の検査位置に当該検査位置を見る観察者のコントラスト感度を取得するための視標を視認可能とした照射面に対し、前記光源から照明光を照射するステップと、
前記光源から前記照射面に対して照明光が照射された状態で、前記検査位置における視標を見たときの観察者のコントラスト感度値を取得するステップとを含み、
前記照射面上の任意位置の見え方を、コントラスト感度値により評価することを特徴とする照明評価方法。
【発明の詳細な説明】
【技術分野】
【０００１】
本発明は、照明光を評価する照明評価装置及び照明評価方法に関する。
【背景技術】
【０００２】
観察者の見え方を検査する技術としては、例えば、下記の特許文献１，２に記載されたものが知られている。【０００３】
特許文献１には、披検眼に明順応をさせた後、暗い視野内に視標を提示し、その視標を認識できるまでの視力回復時間を計測する夜間視力検査装置が記載されている。この夜間視力検査装置は、視標輝度を変化させる視標輝度可変手段と、測定の初期値として薄暗い輝度で視標を呈示する視標照明手段とを有する。【０００４】
特許文献２には、通常の明るさ空間で視標を呈示したときの視力を計測する通常視力検査手段と、披検眼に明順応をさせた後、暗い視野内に薄暗い輝度で視標を呈示し、視標を判別するまでの時間を計測する夜間視力計測手段とを備える夜間視力計が記載されている。この夜間視力計において、視標を照明する視標光源は白色ＬＥＤによって構成している。【０００５】
上述した特許文献１，２に記載された技術は、明順応状態から薄暗い視標を認識するまでの時間を計測することを目的としている。また、特許文献１，２に記載された技術において、被験者は筒鏡を覗き込むことで視標を認識している。よって、この特許文献１，２に記載された技術では、照明環境の明るさを評価するものではない。【０００６】
また、光源から照射された照明光による照明環境は、観察者の主観評価といった見えやすさなどによって評価されている。この主観評価は、観察者の心理面、体調面が評価結果に影響を及ぼす。このため、照明環境は客観的に評価することができていない。さらに、この主観評価は、再現性のある定量化した結果として照明環境を表現することができない。【０００７】
そこで、本発明は、上述した実情に鑑みて提案されたものであり、照明環境を定量的に表現できる照明評価装置及び照明評価方法を提供することを目的とする。
【先行技術文献】
【特許文献】
【０００８】
【特許文献１】特許第3623401号
【特許文献２】特許第3850186号
【発明の概要】
【０００９】
本発明の第１の態様に係る照明評価装置は、任意の光源による照明環境を評価する照明評価装置であって、前記光源から発せられた照明光が照射される照射面上の任意の検査位置に、当該照射面を見る観察者のコントラスト感度を取得するための視標を提示する視標提示手段と、前記視標提示手段により提示された視標を観察者が見たときのコントラスト感度値を取得する記録手段とを有し、前記照射面上の任意位置の見え方を、前記コントラスト感度値により評価することを特徴とする。
【００１０】
本発明の第２の態様に係る照明評価装置は、第１の態様の照明評価装置であって、前記視標提示手段は、前記コントラスト感度を取得するための視標を照射面上の任意の複数の位置に提示し、前記記録手段は、前記視標提示手段により提示された視標を観察者が見たときのコントラスト感度値を取得し、当該取得されたコントラスト感度値と、前記検査位置の位置情報を記録することを特徴とする。
【００１１】
本発明の第３の態様に係る照明評価装置は、上記第１又は第２の態様の照明評価装置であって、前記視標提示手段により視標が提示された検査位置における照度、照明光の波長、照明光の色温度、照明光のチラツキの少なくとも１つを計測する照明光計測手段を備え、前記記録手段は、前記コントラスト感度値に対応して、前記照明光計測手段により取得された照度値、照明光の波長スペクトル値、照明光の色温度値、照明光のチラツキの周波数値の少なくとも１つを記録することを特徴とする。
【００１２】
本発明の第４の態様に係る照明評価装置は、上記第１乃至第３の態様の何れかの照明評価装置であって、前記記録手段による少なくともコントラスト感度値の取得回数を設定する回数設定手段を備え、前記記録手段は、前記回数設定手段により設定された取得回数に亘り取得された少なくともコントラスト感度値を含む検査結果の平均値を記録することを特徴とする。
【００１３】
本発明の第５の態様に係る照明評価装置は、上記第１乃至第４の態様の何れかの照明評価装置であって、明視環境で検査された観察者のコントラスト感度値を基準値として設定する基準値設定手段を備え、前記記録手段は、観察者によって取得されたコントラスト感度値と、前記基準値設定手段により設定された前記基準値の差分を算出し、前記照射面上の任意位置の見え方を、前記差分に相当する明視環境に対するコントラスト感度値の変化により評価することを特徴とする。
【００１４】
本発明の第６の態様に係る照明評価装置は、上記第１乃至第５の態様の何れかの照明評価装置であって、前記記録手段により記録されたコントラスト感度値及び当該コントラスト感度値を取得した検査位置の照度値を前記光源ごとに記録することを特徴とする。
【００１５】
本発明の第７の態様に係る照明評価装置は、上記第１乃至第６の態様の何れかの照明評価装置であって、観察者の頭部位置を固定する頭部位置固定手段を備え、前記照射面と頭部位置との距離を固定した状態で前記記録手段によって少なくともコントラスト感度値を検査して記録することを特徴とする。
【００１６】
本発明の第８の態様に係る照明評価方法は、任意の光源による照明環境を評価する照明評価方法であって、任意の検査位置に当該検査位置を見る観察者のコントラスト感度を取得するための視標を視認可能とした照射面に対し、前記光源から照明光を照射するステップと、前記光源から前記照射面に対して照明光が照射された状態で、前記検査位置における視標を見たときの観察者のコントラスト感度値を取得するステップとを含み、前記照射面上の任意位置の見え方を、コントラスト感度値により評価することを特徴とする。
【図面の簡単な説明】
【００１７】
【図１】図１は、本発明の実施形態として示す照明評価装置の構成を示すブロック図である。
【図２】図２は、本発明の実施形態として示す照明評価装置において具体的な使用例を示す図である。
【図３】図３は、本発明の実施形態として示す照明評価装置において具体的な他の使用例を示す図である。
【図４】図４は、本発明の実施形態として示す照明評価装置において、観察者に提示される視標の形態の一例を示す図である。
【図５】図５は、本発明の実施形態として示す照明評価装置において、観察者に提示される視標の形態の他の一例を示す図である。
【図６】図６は、本発明の実施形態として示す照明評価装置において、観察者に提示される視標の形態の他の一例を示す図である。
【図７】図７は、本発明の実施形態として示す照明評価装置における視標を示す図である。
【図８】図８は、本発明の実施形態として示す照明評価装置における照射面を構成する視標提示手段の一例を示す図である。
【図９】図９は、本発明の実施形態として示す照明評価装置において、照射面を構成する視標提示手段の一例を示す図である。
【図１０】図１０は、本発明の実施形態として示す照明評価装置において、複数のコントラスト感度値が分布した検査結果の一例を示す図である。
【図１１】図１１は、本発明の実施形態として示す照明評価装置の他の構成を示すブロック図である。
【図１２】図１２は、本発明の実施形態として示す照明評価装置において、視標の周辺に配置される照明光計測手段を示す図である。
【図１３】図１３は、本発明の実施形態として示す照明評価装置において、複数の照度値が分布した検査結果の一例を示す図である。
【図１４】図１４は、本発明の実施形態として示す照明評価装置において、複数の波長スペクトル値が分布した検査結果の一例を示す図である。
【図１５】図１５は、本発明の実施形態として示す照明評価装置において、複数の色温度が分布した検査結果の一例を示す図である。
【図１６】図１６は、本発明の実施形態として示す照明評価装置の他の構成を示すブロック図である。
【図１７】図１７は、本発明の実施形態として示す照明評価装置において、複数の平均のコントラスト感度が分布した検査結果の一例を示す図である。
【図１８】図１８は、本発明の実施形態として示す照明評価装置の他の構成を示すブロック図である。
【図１９】図１９は、本発明の実施形態として示す照明評価装置において、複数のコントラスト感度差が分布した検査結果の一例を示す図である。
【図２０】図２０は、本発明の実施形態として示す照明評価装置において、異なる光源ごとにコントラスト感度値の分布を示す検査結果の一例を示す図である。
【図２１】図２１は、本発明の実施形態として示す照明評価装置において、頭部を固定する使用例を示す図である。
【図２２】図２２は、本発明の実施形態として示す照明評価装置において、頭部を固定する他の使用例を示す図である。
【発明を実施するための形態】
【００１８】
以下、本発明の実施の形態について図面を参照して説明する。
【００１９】
本発明の実施形態として示す照明評価装置は、任意の光源による照明環境（見え方）を評価するものである。この照明評価装置は、例えば図１に示すような要素を含む。照明評価装置は、視標提示手段１と検査結果記録手段２とを含む。
【００２０】
視標提示手段１は、光源から発せられた照明光が照射される照射面上の任意の検査位置に視標を提示する。この視標は照射面を見る観察者のコントラスト感度を計測するためのものである。視標提示手段１は、例えば視標が描かれたプレート、用紙等により実現できる。
【００２１】
コントラスト感度とは、背景から注視物体を区別する視機能である。このコントラスト感度は、被験者が認識できる最も薄い（コントラストが最も低い）視標の閾値を計測することで評価することができる。視標のコントラストが低いほど観察者にとって見えにくくなる。このため、コントラストの低い視標が認識できれば、よく見えていると判断される。観察者に提示される視標のコントラストは、視標の最高輝度および最低輝度による下記の式１で規定することが望ましい。
【００２２】
コントラスト＝（最高輝度−最低輝度）/（最高輝度＋最低輝度）   （式１）
観察者に提示される視標の形態は、図２に示すように、視力検査で用いられるランドルト環のような記号や文字のコントラストを変化させてもよい。また、観察者に提示される視標の他の形態は、図３に示すように、コントラストが変化する縞模様を用いてもよい。なお、提示される視標の表示サイズは、被験者の視点位置からの視角で定義することが望ましい。また、縞模様の縞の幅は、視角１°に含まれる格子のサイクル数（空間周波数）で定義することが望ましい。さらに、縞模様のコントラストの変化は、図４に示すように、正弦波格子で規定されるグラデーションで表現することが望ましい。
【００２３】
検査結果記録手段２は、視標提示手段１により提示された視標を観察者が見たときのコントラスト感度値を取得する。検査結果記録手段２は、当該検査されたコントラスト感度値と、検査位置の位置情報を記録する。検査結果記録手段２は、例えば、コントラスト感度値及び検査位置を入力するキーボード等と、コントラスト感度値を記録するメモリ等とを含む。検査結果記録手段２は、例えばパーソナルコンピュータによって実現できる。
【００２４】
照明評価装置は、照射面上の任意位置の見え方を、コントラスト感度値により評価する。例えば、照明評価装置は、検査結果記録手段２により記録されたコントラスト感度値と当該コントラスト感度値を検査したときの視標の位置とを対応づけて表示又は印刷等を行う。これにより、照明評価装置は、照射面上の任意位置の見え方を、コントラスト感度値という定量的な値によって評価できるようにする。
【００２５】
具体的には、視標提示手段１は、図５又は図６に示すように使用される。
【００２６】
図５の視標提示手段１は、例えばテーブル上の照射面１２に設けられている。視標提示手段１の照射面１２上には、光源１１を設置する。光源１１から発せられた照明光Ｌは、照射面１２に照射される。観察者Ｐは、視点Ｓから見下ろして照射面１２上の視標を見る。この状態で、検査結果記録手段２は、観察者Ｐのコントラスト感度値を計測して、記録する。
【００２７】
図６の視標提示手段１は、例えば壁面の照射面１２に設けられている。視標提示手段１の照射面１２の斜め上方に、光源１１を設置する。光源１１から発せられた照明光Ｌは、照射面１２に照射される。観察者Ｐは、視点Ｓに対面して照射面１２上の視標を見る。この状態で、検査結果記録手段２は、観察者Ｐのコントラスト感度値を検査して、記録する。
【００２８】
照射面１２上の視標１３は、例えば図７に示すようになっている。視標１３は、参照用視標１３ａを含む。各視標１３は、上段又は下段に縞模様を配置している。これにより、視標１３は、上段と下段のどちらに縞模様があるかを観察者に選択させてコントラスト感度値を検査可能である。視標１３は、各コントラスト感度値を、５段階の検査結果に基づいて計測できるようになっている。例えば、左端の「１」の縞模様が最も明瞭度合いが高く、「２」、「３」、「４」、「５」の縞模様となるほど、当該縞模様の明瞭度合いが低くなる。これによって、コントラスト感度値が高い観察者は「５」の縞模様も識別できるが、コントラスト感度値が低い観察者は「５」の縞模様は識別できない、という検査結果を得ることができる。このために、視標１３は、明瞭度合いが異なる縞模様を横方向に５個設けている。なお、視点Ｓから照射面１２までの視点距離に合わせて視標１３のサイズを変更してもよい。
【００２９】
照射面１２には、例えば、図８に示すように、視標１３が設置される計測点が設けられる。この計測点は、照射面１２上の任意の位置が設定される。図８の照射面１２は、当該照射面１２の中心位置を計測点Ａとし、当該中心から螺旋状に計測点Ｂ〜計測点Ｑを設けている。なお、照明評価装置は、複数の計測点であってもよく、単一の計測点であってもよい。複数の計測点がある場合には、計測点とコントラスト感度値との組を検査結果として得ることができる。単一の計測点である場合には、任意の一点のみのコントラスト感度値を検査結果として得ることができる。
【００３０】
視標提示手段１は、図９に示すように、照射面１２の計測点Ａ〜Ｑ上に視標１３Ａ〜視標１３Ｑを設けることによって構成される。
【００３１】
このような視標提示手段１を用いて、検査結果記録手段２によってコントラスト感度値及び検査位置を記録する。その結果、検査結果記録手段２は、図１０に示すように、検査位置ごと分布したコントラスト感度値Ａ〜コントラスト感度値Ｑを示す検査結果２０を表示することができる。コントラスト感度値Ａ〜コントラスト感度値Ｑは、図９に示した視標１３Ａ〜視標１３Ｑを観察者が見て、コントラスト感度値を計測した結果である。図１０の検査結果２０を参照すると、光源１１から照射面１２に照射された照明光の明るさ等によって、中心の計測点Ａのコントラスト感度値Ａ（検査値Ａ）は「５」となった。例えば、中心から離れた計測点Ｊのコントラスト感度値Ｊ（検査値Ｊ）は「３」となった。
【００３２】
このような構成において、照射面１２上の任意の位置ごとのコントラスト感度値を検査する場合、先ず、光源１１を点灯する。このとき、任意の検査位置に当該検査位置を見る観察者のコントラスト感度を計測するための視標１３を視認可能とした照射面１２を含む視標提示手段１に対し、光源１１から照明光を照射する。次に、光源１１から照射面１２に対して照明光が照射された状態で、検査結果記録手段２は、検査位置Ａ〜Ｑにおける視標を見たときの観察者のコントラスト感度値Ａ〜Ｑを計測する。検査結果記録手段２は、計測したコントラスト感度値Ａ〜Ｑと、視標の位置Ａ〜Ｑとを記録する。これにより、照明評価装置は、図１０に示すように、光源１１の照射面１２上の任意の位置の見え方を、コントラスト感度値により評価するマップデータを表示できる。
【００３３】
以上のように、この照明評価装置によれば、任意の光源１１による照射面１２上の照明環境において、任意の場所でのコントラスト感度値を計測し、その計測値をマップ化する。これにより、照明評価装置は、照明環境の見え方を定量的且つ客観的に表現できる。
【００３４】
また、この照明評価装置によれば、各計測点に対応する位置にコントラスト感度値を表示することによって、光源１１から発せられた照明光による照射面１２上の見やすさを、コントラスト感度値の分布として評価できる。
【００３５】
上述した照明評価装置は、上述した構成に加え、図１１に示すように、照明光計測手段３を備えていてもよい。この照明光計測手段３は、視標提示手段１により視標１３が提示された検査位置における照度、照明光の波長、照明光の色温度、照明光のチラツキの少なくとも１つを計測する。照明光計測手段３は、例えば図１２に示すように、計測点ごとに設けられた視標１３付近に設置される光センサによって構成される。
【００３６】
検査結果記録手段２は、コントラスト感度値及び位置情報に対応して、照明光計測手段３により計測された照明光の照度値、波長スペクトル値、色温度値、チラツキの周波数値の少なくとも１つを記録する。
【００３７】
このような照明評価装置は、照明光計測手段３によって照度を計測した場合、例えば図１３に示すような検査結果２１を得ることができる。この検査結果２１は、計測点Ａ〜Ｑに分布した照明光計測手段３によって計測した照度Ａ〜Ｑを表示している。また、照度Ａ〜Ｑは、計測点Ａ〜Ｑに対応した位置に表示する。これにより、照明評価装置は、照射面１２における計測点Ａ〜Ｑにおけるコントラスト感度値Ａ〜Ｑの分布に加えて、照度Ａ〜Ｑの分布を表示することできる。図１３の検査結果２１を参照すると、光源１１から照射面１２に照射された照明光の明るさ等によって、中心の計測点Ａの照度Ａは１００［ｌｘ、ルクス］となった。例えば、中心から離れた計測点Ｊの照度Ｊは３０［ｌｘ、ルクス］となった。
【００３８】
したがって、照明評価装置は、コントラスト感度値Ａ〜Ｑの分布を表す検査結果２０と照度Ａ〜Ｑの分布を表す検査結果２１とによって光源１１による照度とコントラスト感度値との関連性を記録できる。これにより、更に定量的且つ客観的な光源１１の見え方を評価できる。
【００３９】
更に、照明評価装置は、照明光計測手段３によって波長を計測した場合、例えば図１４に示すような検査結果２２を得ることができる。この検査結果２２は、計測点Ａ〜Ｑに分布した照明光計測手段３によって計測した波長スペクトル値Ａ〜Ｑを表示している。また、波長スペクトル値Ａ〜Ｑは、計測点Ａ〜Ｑに対応した位置に表示する。これにより、照明評価装置は、照射面１２における計測点Ａ〜Ｑにおけるコントラスト感度値Ａ〜Ｑの分布に加えて、波長スペクトル値Ａ〜Ｑの分布を表示することできる。図１４の検査結果２２を参照すると、光源１１から照射面１２に照射された照明光によって、中心の計測点Ａの波長スペクトル値Ａは６００［ｎｍ］となった。例えば、中心から離れた計測点Ｊの波長スペクトル値Ｊは５８０［ｎｍ］となった。
【００４０】
したがって、照明評価装置は、コントラスト感度値Ａ〜Ｑの分布を表す検査結果２０と波長スペクトル値Ａ〜Ｑの分布を表す検査結果２２とによって光源１１による波長スペクトル値とコントラスト感度値との関連性を記録できる。これにより、更に定量的且つ客観的な光源１１の見え方を評価できる。  
【００４１】
更に、照明評価装置は、照明光計測手段３によって色温度を計測した場合、例えば図１５に示すような検査結果２３を得ることができる。この検査結果２３は、計測点Ａ〜Ｑに対応した照明光計測手段３によって計測した色温度Ａ〜Ｑを表示している。また、色温度Ａ〜Ｑは、計測点Ａ〜Ｑに対応した位置に表示する。これにより、照明評価装置は、照射面１２における計測点Ａ〜Ｑにおけるコントラスト感度値Ａ〜Ｑの分布に加えて、色温度Ａ〜Ｑの分布を表示することできる。図１５の検査結果２３を参照すると、光源１１から照射面１２に照射された照明光によって、中心の計測点Ａの色温度Ａは５０００［Ｋ、ケルビン］、中心から離れた計測点Ｊの色温度Ｊは４８００［Ｋ、ケルビン］となった。
【００４２】
したがって、照明評価装置は、コントラスト感度値Ａ〜Ｑの分布を表す検査結果２０と色温度Ａ〜Ｑの分布を表す検査結果２３とによって光源１１による色温度とコントラスト感度値との関連性を記録できる。これにより、更に定量的且つ客観的な光源１１の見え方を評価できる。
【００４３】
上述した照明評価装置は、上述した構成に加え、図１６に示すように、検査回数設定手段４を備えていてもよい。この検査回数設定手段４は、検査結果記録手段２による少なくともコントラスト感度値の検査回数（取得回数）を設定する。検査回数設定手段４は、例えば、ユーザの操作に応じて入力した検査回数を受け付けて、検査結果記録手段２によるコントラスト感度値の検査回数を設定する。検査結果記録手段２は、照明光計測手段３により設定された回数に亘って少なくともコントラスト感度値を計測する。検査結果記録手段２は、計測した複数のコントラスト感度値を平均する。検査結果記録手段２は、平均したコントラスト感度値を、検査結果として記録する。
【００４４】
このような照明評価装置は、図１７に示すように、計測点Ａ〜Ｑごとに、設定された検査回数の平均したコントラスト感度値（コントラスト感度値の平均）Ａ〜Ｑを含む検査結果２４を得ることができる。この検査結果２４は、計測点Ａ〜Ｑに分布したコントラスト感度値の平均Ａ〜Ｑを表示している。また、コントラスト感度値の平均Ａ〜Ｑは、計測点Ａ〜Ｑに対応した位置に表示する。図１７の検査結果２４を参照すると、光源１１から照射面１２に照射された照明光の明るさ等によって、中心の計測点Ａのコントラスト感度値の平均Ａは「５」となった。例えば、中心から離れた計測点Ｊのコントラスト感度値の平均Ｊは「３」となった。
【００４５】
したがって、照明評価装置は、コントラスト感度値の平均Ａ〜Ｑの分布を表す検査結果２４を表示して、定量的且つ客観的な光源１１の見え方を評価できる。また、照明評価装置は、検査結果を平均値にすることによって、検査結果の再現性を向上し、検査結果のバラツキを低減することができる。
【００４６】
上述した照明評価装置は、上述した構成に加え、図１８に示すように、基準値設定手段６及び差分記録手段５を備えていてもよい。この基準値設定手段６は、明視環境で計測された観察者のコントラスト感度値を基準値として設定する。この明視環境とは、はっきりと視界の物が見えるような照明環境をいう。基準値設定手段６は、観察者Ｐの周りが明るい明視環境において計測したコントラスト感度値を基準値として設定する。基準値設定手段６は、例えば、明視環境でコントラスト感度値を計測したコントラスト感度計であってもよい。基準値設定手段６は、明視環境のコントラスト感度値を入力する操作デバイスであってもよい。
【００４７】
差分記録手段５は、観察者によって計測されたコントラスト感度値と、基準値設定手段６により設定された基準値の差分を算出して、記録する。なお、差分記録手段５は、検査結果記録手段２と同じ処理ＩＣ、メモリで構成されていてもよい。
【００４８】
このような照明評価装置は、図１９に示すように、計測点Ａ〜Ｑごとに、差分記録手段５によって記録されたコントラスト感度差Ａ〜Ｑを含む検査結果２５を得ることができる。この検査結果２５は、計測点Ａ〜Ｑに対応したコントラスト感度差Ａ〜Ｑを表示している。また、コントラスト感度差Ａ〜Ｑは、計測点Ａ〜Ｑに対応した位置に表示する。図１９の検査結果２５を参照すると、光源１１から照射面１２に照射された照明光の明るさが明視環境と同等であり、中心の計測点Ａのコントラスト感度差Ａは０である。例えば、中心から離れた計測点Ｊでは、明視環境よりも明るさが低いなどの理由によって、コントラスト感度差Ｊは−２となった。
【００４９】
これにより、照明評価装置は、光源１１の照射面１２上の任意の検査位置の見え方を、差分に相当する明視環境に対するコントラスト感度値の変化により評価できる。すなわち、照明評価装置は、明視環境に対するコントラスト感度値の低下を計測し、明視環境に対する照射面１２上の環境の相対的な評価をすることができる。
【００５０】
上述した照明評価装置は、異なる光源１１のそれぞれから照明光を照射面１２に照射し、光源１１ごとの検査結果を記憶してもよい。このために、照明評価装置は、検査結果記録手段２により記録されたコントラスト感度値及び当該コントラスト感度値を検査した位置の照度値を光源１１ごとに記録する。
【００５１】
例えば、異なる光源としての光源(1)、(2)、(3)がある場合、検査結果記録手段２は、光源(1)、(2)、(3)によって計測点Ａ〜Ｑごとのコントラスト感度値Ａ〜Ｑを計測する。検査結果記録手段２は、光源(1)、(2)、(3)ごとに、計測点Ａ〜Ｑの位置及びコントラスト感度値Ａ〜Ｑを記憶する。
【００５２】
このような照明評価装置は、図２０に示すように、光源(1)、(2)、(3)ごとに、計測点Ａ〜Ｑごとに記録したコントラスト感度値Ａ〜Ｑを含む検査結果２６を得ることができる。この検査結果２６は、光源(1)、(2)、(3)ごとに計測点Ａ〜Ｑに対応したコントラスト感度値Ａ〜Ｑを表示している。また、コントラスト感度値Ａ〜Ｑは、計測点Ａ〜Ｑに対応した位置に表示する。なお、図示しないが検査結果記録手段２で計測された照度値、スペクトル値、色温度値、周波数値のいずれかの計測値を光源ごとに記録することもできる。
【００５３】
ここで、異なる光源１１としては、その種類が異なってもよく、同じ種類であってもその仕様が異なっていてもよい。例えば、異なる光源１１としては、例えば、プロジェクタに用いられるメタルハライドランプや超高圧水銀ランプ、キセノンランプ、照明用のハロゲンランプなどが挙げられる。なお、メタルハライドランプは、色温度が約6,500〜7,500Kである。超高圧水銀ランプの色温度は、約9,000Kである。キセノンランプの色温度は約6,000Kである。照明用のハロゲンランプの色温度は約3,400Kである。更に、異なる種類の光源１１は、熱放射を利用した白熱発光型のハロゲンランプという種類と、放電発光を利用した超高圧放電ランプである超高圧水銀ランプという種類、という異なる種類であってもよい。更に、同じ種類でも仕様が異なる光源とは、波長スペクトル値等が異なるＬＥＤが挙げられる。
【００５４】
この照明評価装置によれば、複数の光源１１を用いた照明評価において、各光源１１の評価結果を記録し、比較できる。これにより、照明評価装置は、光源１１の照射面１２上の任意の位置の見え方を、光源１１ごとに客観的に評価できる。
【００５５】
更に、上述した照明評価装置は、図２１や図２２に示すように、観察者の頭部位置を固定する頭部位置固定手段としての顎置き３０を備えていることが望ましい。この照明評価装置において、検査結果記録手段２は、顎置き３０によって照射面１２と頭部位置との距離を固定した状態で少なくともコントラスト感度値を計測して記録する。
【００５６】
ここで、コントラスト感度の検査で表示する検査視標の大きさは視点距離で決まる。このため、コントラスト感度値の信頼度を高くするためには、観察者Ｐの視点Ｓと照射面１２との視点距離を維持することが重要となる。これに対し、照明評価装置は、顎置き３０を設け、当該顎置き３０によって観察者Ｐの頭部を固定することによって視点Ｓを固定し、視点Ｓと照射面１２との視点距離を維持することができる。
【００５７】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【００５８】
特願２０１２−１２８３２４号（出願日：２０１２年  ６月  ５日）の全内容は、ここに援用される。
【産業上の利用可能性】
【００５９】
本発明によれば、照射面上の任意位置の見え方をコントラスト感度値により評価するので、照明環境を定量的に表現できる。
【符号の説明】
【００６０】
１  視標提示手段
２  検査結果記録手段
３  照明光計測手段
４  検査回数設定手段
５  差分記録手段
６  基準値設定手段
１１  光源
１２  照射面
１３  視標
【図１】
2013183195.tif 000003
【図５】
2013183195.tif 000004
【図６】
2013183195.tif 000005
【図８】
2013183195.tif 000006
【図１０】
2013183195.tif 000007
【図１１】
2013183195.tif 000008
【図１３】
2013183195.tif 000009
【図１４】
2013183195.tif 000010
【図１５】
2013183195.tif 000011
【図１６】
2013183195.tif 000012
【図１７】
2013183195.tif 000013
【図１８】
2013183195.tif 000014
【図１９】
2013183195.tif 000015
【図２０】
2013183195.tif 000016
【図２１】
2013183195.tif 000017
【図２２】
2013183195.tif 000018
【図２】
2013183195.tif 000019
【図３】
2013183195.tif 000020
【図４】
2013183195.tif 000021
【図７】
2013183195.tif 000022
【図９】
2013183195.tif 000023
【図１２】
2013183195.tif 000024
【手続補正書】
【提出日】平成26年10月20日(2014.10.20)
【手続補正１】
【補正対象書類名】特許請求の範囲
【補正対象項目名】全文
【補正方法】変更
【補正の内容】
【特許請求の範囲】
【請求項１】
任意の光源による照明環境を評価する照明評価装置であって、
前記光源から発せられた照明光が照射される照射面上の任意の検査位置に、当該照射面を見る観察者のコントラスト感度を取得するための視標を提示する視標提示手段と、
前記視標提示手段により提示された視標を観察者が見たときのコントラスト感度値を取得する記録手段とを有し、
前記照射面上の任意位置の見え方を、前記コントラスト感度値により評価することを特徴とする照明評価装置。
【請求項２】
前記視標提示手段は、前記コントラスト感度を取得するための視標を照射面上の任意の複数の位置に提示し、
前記記録手段は、前記視標提示手段により提示された視標を観察者が見たときのコントラスト感度値を取得し、当該取得されたコントラスト感度値と、前記位置の位置情報を記録することを特徴とする請求項１に記載の照明評価装置。
【請求項３】
前記視標提示手段により視標が提示された位置における照度、照明光の波長、照明光の色温度、照明光のチラツキの少なくとも１つを計測する照明光計測手段を備え、
前記記録手段は、前記コントラスト感度値に対応して、前記照明光計測手段により取得された照度値、照明光の波長スペクトル値、照明光の色温度値、照明光のチラツキの周波数値の少なくとも１つを記録することを特徴とする請求項１又は請求項２に記載の照明評価装置。
【請求項４】
前記記録手段による少なくともコントラスト感度値の取得回数を設定する回数設定手段を備え、
前記記録手段は、前記回数設定手段により設定された取得回数に亘り取得された少なくともコントラスト感度値を含む検査結果の平均値を記録することを特徴とする請求項１乃至請求項３の何れか一項に記載の照明評価装置。
【請求項５】
明視環境で検査された観察者のコントラスト感度値を基準値として設定する基準値設定手段を備え、
前記記録手段は、観察者によって取得されたコントラスト感度値と、前記基準値設定手段により設定された前記基準値の差分を算出し、
前記照射面上の任意位置の見え方を、前記差分に相当する明視環境に対するコントラスト感度値の変化により評価することを特徴とする請求項１乃至請求項４の何れか一項に記載の照明評価装置。
【請求項６】
前記記録手段により記録されたコントラスト感度値及び当該コントラスト感度値を取得した位置の照度値を前記光源ごとに記録することを特徴とする請求項１乃至請求項５の何れか一項に記載の照明評価装置。
【請求項７】
観察者の頭部位置を固定する頭部位置固定手段を備え、
前記照射面と頭部位置との間の距離を固定した状態で前記記録手段によって少なくともコントラスト感度値を検査して記録することを特徴とする請求項１乃至請求項６の何れか一項に記載の照明評価装置。
【請求項８】
任意の光源による照明環境を評価する照明評価方法であって、
任意の検査位置に当該検査位置を見る観察者のコントラスト感度を取得するための視標を視認可能とした照射面に対し、前記光源から照明光を照射するステップと、
前記光源から前記照射面に対して照明光が照射された状態で、前記検査位置における視標を見たときの観察者のコントラスト感度値を取得するステップとを含み、
前記照射面上の任意位置の見え方を、コントラスト感度値により評価することを特徴とする照明評価方法。
【手続補正２】
【補正対象書類名】明細書
【補正対象項目名】００１５
【補正方法】変更
【補正の内容】
【００１５】
本発明の第７の態様に係る照明評価装置は、上記第１乃至第６の態様の何れかの照明評価装置であって、観察者の頭部位置を固定する頭部位置固定手段を備え、前記照射面と頭部位置との間の距離を固定した状態で前記記録手段によって少なくともコントラスト感度値を検査して記録することを特徴とする。
【手続補正３】
【補正対象書類名】明細書
【補正対象項目名】００３１
【補正方法】変更
【補正の内容】
【００３１】
このような視標提示手段１を用いることによって得られたコントラスト感度値及び検査位置を検査結果記録手段２によって記録する。その結果、検査結果記録手段２は、図１０に示すように、検査位置ごと分布したコントラスト感度値Ａ〜コントラスト感度値Ｑを示す検査結果２０を表示することができる。コントラスト感度値Ａ〜コントラスト感度値Ｑは、図９に示した視標１３Ａ〜視標１３Ｑを観察者が見て、コントラスト感度値を計測した結果である。図１０の検査結果２０を参照すると、光源１１から照射面１２に照射された照明光の明るさ等によって、中心の計測点Ａのコントラスト感度値Ａ（検査値Ａ）は「５」となった。例えば、中心から離れた計測点Ｊのコントラスト感度値Ｊ（検査値Ｊ）は「３」となった。
【手続補正４】
【補正対象書類名】明細書
【補正対象項目名】００４３
【補正方法】変更
【補正の内容】
【００４３】
上述した照明評価装置は、上述した構成に加え、図１６に示すように、検査回数設定手段４を備えていてもよい。この検査回数設定手段４は、検査結果記録手段２による少なくともコントラスト感度値の検査回数（取得回数）を設定する。検査回数設定手段４は、例えば、ユーザの操作に応じて入力した検査回数を受け付けて、検査結果記録手段２によるコントラスト感度値の検査回数を設定する。検査結果記録手段２は、検査回数設定手段４により設定された回数に亘って少なくともコントラスト感度値を計測する。検査結果記録手段２は、計測した複数のコントラスト感度値を平均する。検査結果記録手段２は、平均したコントラスト感度値を、検査結果として記録する。
【国際調査報告】
2013183195.tif 000025
2013183195.tif 000026
2013183195.tif 000027
2013183195.tif 000028